(57)【要約】【課題】複数の映像を合成した合成映像が容易に構成可能な映像伝送システムを提供する。【解決手段】合成映像における表示位置と第１及び第２の表示サイズ変更部５，７とが一対一に対応している。このため、受信した映像信号を再構成する映像再構成部４iに応じて合成映像における表示位置が一意に決まり、各映像信号の再構成を担当する映像再構成部４iを、第１の制御部１２により制御される送信元識別部３によって切り換えるだけで任意の合成映像（本実施形態では、４分割映像と親子映像）が容易に構成可能となる。【選択図】図１
2007259133.tif 000002
【特許請求の範囲】
【請求項１】
伝送路を介して各々異なるタイムスロットに映像信号を格納して時分割多重伝送する複数の送信装置と、各タイムスロットに格納されて伝送される映像信号を受信し元の映像を再構成して表示する１乃至複数の受信装置とを備えた映像伝送システムであって、
受信装置は、各タイムスロット毎に受信した映像信号の再構成処理を行う複数の映像再構成手段と、少なくとも何れか１つの映像再構成手段で再構成された映像の表示サイズを変更する表示サイズ変更手段と、表示サイズ変更手段で表示サイズが変更された映像を各映像再構成手段と一対一に対応する表示位置に配置した合成映像を作成する映像合成手段と、映像合成手段で合成された合成映像を画面に表示する表示手段とを備えたことを特徴とする映像伝送システム。
【請求項２】
表示サイズ変更手段は、全ての映像再構成手段で再構成された映像の表示サイズを変更することを特徴とする請求項１記載の映像伝送システム。
【請求項３】
映像合成手段は、１つの映像を画面一杯に表示する標準サイズとし、表示サイズ変更手段で縮小された映像を標準サイズの映像に重ね合わせた合成映像を作成することを特徴とする請求項１記載の映像伝送システム。
【請求項４】
映像合成手段は、合成する１乃至複数の映像が映像再構成手段で再構成されるまでの間、再構成待ちの映像の表示位置に単一色で塗りつぶしたダミー映像を配置した合成映像を作成することを特徴とする請求項１〜３の何れかに記載の映像伝送システム。
【請求項５】
映像合成手段で合成された合成映像を表示手段に表示するか否かを切り換える第１の制御手段を受信装置に備え、第１の制御手段は、映像合成手段が各表示位置に配置される映像の再構成完了を通知する再構成完了通知に応じて表示手段における表示の切換を行うことを特徴とする請求項１〜４の何れかに記載の映像伝送システム。
【請求項６】
映像再構成手段又は映像合成手段の少なくとも何れか一方より映像信号の受信エラーの発生状況を取得し、受信エラーが生じている映像を表示手段に表示するか否かを切り換える第２の制御手段を受信装置に備えたことを特徴とする請求項１〜４の何れかに記載の映像伝送システム。
【請求項７】
表示サイズ変更手段による表示サイズ変更の有無を切り換える切換手段を受信装置に備え、切換手段が表示サイズ変更の有無を切り換えたとき、あるいは表示手段に表示する映像が変更されたとき、映像再構成手段並びに映像合成手段が映像の再構成処理及び合成処理を初期化することを特徴とする請求項４又は５記載の映像伝送システム。
【請求項８】
送信装置から送信される映像信号に当該送信装置を識別する識別符号が付加され、
タイムスロットに格納されて伝送される映像信号を何れの映像再構成手段で再構成するかを識別符号に応じて制御する再構成制御手段を受信装置に備えたことを特徴とする請求項１〜７の何れかに記載の映像伝送システム。
【請求項９】
再構成制御手段は、映像信号に付加されている識別符号が判別できない場合に当該映像信号を破棄することを特徴とする請求項８記載の映像伝送システム。
【発明の詳細な説明】
【技術分野】
【０００１】
本発明は、複数の映像を時分割多重伝送する映像伝送システムに関するものである。
【背景技術】
【０００２】
従来より、伝送路を介して各々異なるタイムスロットに映像信号を格納して時分割多重伝送する複数の送信装置と、各タイムスロットに格納されて伝送される映像信号を受信し元の映像を再構成して表示する１乃至複数の受信装置とを備えた映像伝送システムが提供されている。かかる従来システムでは、例えば、４台の送信装置から別々に送信された映像を合成して１画面に表示する処理が受信装置で行われている。このように複数の映像を合成処理する際に個々の映像の表示サイズを変更する必要があり、従来、複数の映像を一つの処理回路で時分割して処理していた（例えば、特許文献１参照）。
【特許文献１】特開２０００−８３１９３号公報
【発明の開示】
【発明が解決しようとする課題】
【０００３】
しかしながら、上記従来例のように複数の映像を時分割処理する場合、各映像を読み出す順序や画面上の配置に複雑な制御が必要になるという問題があった。
【０００４】
本発明は上記事情に鑑みて為されたものであり、その目的は、複数の映像を合成した合成映像が容易に構成可能な映像伝送システムを提供することにある。
【課題を解決するための手段】
【０００５】
請求項１の発明は、上記目的を達成するために、伝送路を介して各々異なるタイムスロットに映像信号を格納して時分割多重伝送する複数の送信装置と、各タイムスロットに格納されて伝送される映像信号を受信し元の映像を再構成して表示する１乃至複数の受信装置とを備えた映像伝送システムであって、受信装置は、各タイムスロット毎に受信した映像信号の再構成処理を行う複数の映像再構成手段と、少なくとも何れか１つの映像再構成手段で再構成された映像の表示サイズを変更する表示サイズ変更手段と、表示サイズ変更手段で表示サイズが変更された映像を各映像再構成手段と一対一に対応する表示位置に配置した合成映像を作成する映像合成手段と、映像合成手段で合成された合成映像を画面に表示する表示手段とを備えたことを特徴とする。
【０００６】
請求項２の発明は、請求項１の発明において、表示サイズ変更手段は、全ての映像再構成手段で再構成された映像の表示サイズを変更することを特徴とする。
【０００７】
請求項３の発明は、請求項１の発明において、映像合成手段は、１つの映像を画面一杯に表示する標準サイズとし、表示サイズ変更手段で縮小された映像を標準サイズの映像に重ね合わせた合成映像を作成することを特徴とする。
【０００８】
請求項４の発明は、請求項１〜３の何れかの発明において、映像合成手段は、合成する１乃至複数の映像が映像再構成手段で再構成されるまでの間、再構成待ちの映像の表示位置に単一色で塗りつぶしたダミー映像を配置した合成映像を作成することを特徴とする。
【０００９】
請求項５の発明は、請求項１〜４の何れかの発明において、映像合成手段で合成された合成映像を表示手段に表示するか否かを切り換える第１の制御手段を受信装置に備え、第１の制御手段は、映像合成手段が各表示位置に配置される映像の再構成完了を通知する再構成完了通知に応じて表示手段における表示の切換を行うことを特徴とする。
【００１０】
請求項６の発明は、請求項１〜４の何れかの発明において、映像再構成手段又は映像合成手段の少なくとも何れか一方より映像信号の受信エラーの発生状況を取得し、受信エラーが生じている映像を表示手段に表示するか否かを切り換える第２の制御手段を受信装置に備えたことを特徴とする。
【００１１】
請求項７の発明は、請求項４又は５の発明において、表示サイズ変更手段による表示サイズ変更の有無を切り換える切換手段を受信装置に備え、切換手段が表示サイズ変更の有無を切り換えたとき、あるいは表示手段に表示する映像が変更されたとき、映像再構成手段並びに映像合成手段が映像の再構成処理及び合成処理を初期化することを特徴とする。
【００１２】
請求項８の発明は、請求項１〜７の何れかの発明において、送信装置から送信される映像信号に当該送信装置を識別する識別符号が付加され、タイムスロットに格納されて伝送される映像信号を何れの映像再構成手段で再構成するかを識別符号に応じて制御する再構成制御手段を受信装置に備えたことを特徴とする。
【００１３】
請求項９の発明は、請求項８の発明において、再構成制御手段は、映像信号に付加されている識別符号が判別できない場合に当該映像信号を破棄することを特徴とする。
【発明の効果】
【００１４】
請求項１の発明によれば、合成映像における表示位置と表示サイズ変更手段とが一対一に対応しているため、受信した映像信号を再構成する映像再構成手段に応じて合成映像における表示位置が一意に決まり、各映像信号の再構成を担当する映像再構成手段を切り換えるだけで任意の合成映像が容易に構成可能となる。
【００１５】
請求項２の発明によれば、表示サイズ変更手段が全ての映像再構成手段で再構成された映像の表示サイズを変更するので、全ての映像が合成された合成映像が容易に構成可能となる。
【００１６】
請求項３の発明によれば、映像合成手段が１つの映像を画面一杯に表示する標準サイズとし、表示サイズ変更手段で縮小された映像を標準サイズの映像に重ね合わせた合成映像を作成するので、標準サイズの映像に縮小された映像が合成された合成映像が容易に構成可能となる。
【００１７】
請求項４の発明によれば、映像合成手段が、合成する１乃至複数の映像が映像再構成手段で再構成されるまでの間、再構成待ちの映像の表示位置に単一色で塗りつぶしたダミー映像を配置した合成映像を作成するので、再構成された映像が順次表示されることで表示手段に映像が表示されるまでの待ち時間が短くなり、しかも、再構成待ちの映像の表示位置にダミー映像を配置することで合成映像を見やすく表示できる。
【００１８】
請求項５の発明によれば、第１の制御手段が、映像合成手段が各表示位置に配置される映像の再構成完了を通知する再構成完了通知に応じて表示手段における表示の切換を行うので、少なくとも何れか一つの映像が再構成されて表示可能となった時点で表示手段に合成映像を表示することができて表示の切換が容易に行えるとともに利便性が向上する。
【００１９】
請求項６の発明によれば、映像再構成手段又は映像合成手段の少なくとも何れか一方より映像信号の受信エラーの発生状況を取得し、受信エラーが生じている映像を表示手段に表示するか否かを切り換える第２の制御手段を受信装置に備えたので、受信エラーが生じている映像を表示手段に表示しないように切り換えることで映像の表示品質が向上する。
【００２０】
請求項７の発明によれば、表示サイズ変更手段による表示サイズ変更の有無を切り換える切換手段を受信装置に備え、切換手段が表示サイズ変更の有無を切り換えたとき、あるいは表示手段に表示する映像が変更されたとき、映像再構成手段並びに映像合成手段が映像の再構成処理及び合成処理を初期化するので、表示手段に表示する映像（合成映像）を変更したときに映像が乱れたり、途切れたりするのを防ぐことができる。
【００２１】
請求項８の発明によれば、タイムスロットに格納されている映像信号と当該映像信号を再構成する映像再構成手段との組合せが識別符号によって任意に選択できるから、同一の送信装置から送信される映像信号が異なるタイムスロットに格納されていたり、合成映像を構成する映像の数とタイムスロットに格納されて送信される映像の数とが一致していなかったり、ノイズ等の影響で受信エラーが発生した場合でも、個々の映像を正常に表示することができる。
【００２２】
請求項９の発明によれば、再構成制御手段は、映像信号に付加されている識別符号が判別できない場合に当該映像信号を破棄するので、異なる映像の映像信号により誤った映像が再構成されるのを防ぐことができる。
【発明を実施するための最良の形態】
【００２３】
（実施形態１）
本実施形態の通信システムは、図２に示すようにディジタル変調された映像信号（パケット）を送信する複数の送信装置Ｔと、信号線Ｌｓを介して送信装置Ｔと接続され各送信装置Ｔから時分割多重伝送される映像信号を受信する主装置Ｍと、送信装置Ｔから時分割多重伝送される映像信号を主装置Ｍ経由で信号線Ｌｓを介して受信して表示する複数の受信装置Ｒとで構成されている。なお、信号線Ｌｓにはペア線などの平衡線路を用いているが、同軸線のような不平衡線路であっても構わない。また、エンハンストカテゴリー５あるいはカテゴリー６のＬＡＮケーブルの１ペアやＣＰＥＶケーブルの１ペアを信号線Ｌｓに利用しても構わない。
【００２４】
また、主装置Ｍから信号線Ｌｓに送出する同期信号ＳＹによって複数のタイムスロットが規定され、各送信装置Ｔでは、映像信号の送信開始前に主装置Ｍに対してタイムスロットの割当を要求し、主装置Ｍによって割り当てられたタイムスロットＴＳに映像信号（パケット）を格納して送信するのである（図３参照）。そして、主装置Ｍ並びに受信装置Ｒでは、タイムスロットに格納されたパケット（映像信号）を受信し、元の映像を再構成することができる。しかも、時分割多重伝送方式によれば、各々別の送信装置Ｔから異なるタイムスロットで送信された映像信号を受信し、複数の受信装置Ｒにおいて互いに別の送信装置Ｔから送信されたデータを別個独立して取得することが可能である。但し、何れの送信装置Ｔがどのタイムスロットを使用するかということは、主装置Ｍにより同期信号ＳＹに含めて送信される制御信号によって各送信装置Ｔに適宜割り当てられる。  同期信号ＳＹは、図４（ａ）に示すようにヘッダ部とデータ部で構成される。ヘッダ部は、プリアンブル、パケット種別、変調方式、タイムスロットの送信可否符号Ａｘ，Ｂｘ，Ｃｘ，Ｄｘ、データ長、誤り検査符号で構成される。ここで、送信可否符号Ａｘ，Ｂｘ，Ｃｘ，Ｄｘは、本システムで規定する４つのタイムスロットＡ，Ｂ，Ｃ，Ｄに対する映像信号の送信可否を主装置Ｍから各送信装置Ｔに通知するものである。一方、データ部は、各タイムスロットＡ，Ｂ，Ｃ，Ｄに対する送信装置Ｔの割り当て情報Ａｙ，Ｂｙ，Ｃｙ，Ｄｙと誤り検査符号とで構成される。割り当て情報Ａｙ，Ｂｙ，Ｃｙ，Ｄｙにはそれぞれ送信装置Ｔの識別符号（例えば、１，２，３，…という連続番号）が主装置Ｍによって格納され、割り当て情報Ａｙ，Ｂｙ，Ｃｙ，Ｄｙに格納された各識別符号の送信装置Ｔが各タイムスロットＡ，Ｂ，Ｃ，Ｄを使用して映像信号を送信する。但し、割り当て情報Ａｙ，Ｂｙ，Ｃｙ，Ｄｙに識別符号が格納されていても、送信可否符号Ａｘ，Ｂｘ，Ｃｘ，Ｄｘで許可されているタイムスロットＡ，Ｂ，Ｃ，Ｄのみが使用可能であることは言うまでもない。
【００２５】
また、図４（ｂ）に示すように映像信号もヘッダ部とデータ部で構成される。ヘッダ部は、プリアンブル、送信元の送信装置Ｔを示す識別符号、パケット種別、変調方式、映像データライン番号、データ長、誤り検査符号で構成される。一方、データ部は、映像データと誤り検査符号とで構成される。ここで、映像データは、図５に示すように各ライン毎の映像データであって、各ライン毎の映像データを映像データライン番号の順番に垂直方向へつなげることで１フレームの映像が再構成できるものである（所謂プログレッシブ方式を採用している）。
【００２６】
主装置Ｍ並びに送信装置Ｔ、受信装置Ｒにおいては、図３に示すように同期信号ＳＹの立ち下がりから所定の待機時間Ｔが経過した時点を先頭のタイムスロットＡの開始時点とし、次の同期信号ＳＹが立ち上がるまでの期間（信号送信期間）内に４つのタイムスロットＡ，Ｂ，Ｃ，Ｄを配置している。ここで、本実施形態では信号送信期間内に４つのタイムスロットＡ，Ｂ，Ｃ，Ｄを配置しているから、最大４台の送信装置Ｔが個別に映像信号を送信できる。
【００２７】
本実施形態の受信装置Ｒは、図１に示すように信号線Ｌｓを介して伝送されるアナログの受信信号を増幅する増幅器や増幅器で増幅された受信信号をディジタル信号に変換するＡＤ変換器を有する受信回路１と、受信回路１の出力するディジタル信号から元の映像データ（図５に示した１ライン分の映像データ）を復調する復調回路２と、復調回路２で復調された映像データの識別符号から当該映像データの送信元の送信装置Ｔを識別する送信元識別部３と、それぞれ送信元識別部３を介して復調回路２に接続され復調された各ライン毎の映像データを映像データライン番号の順番に垂直方向へつなげることで１フレームの映像を再構成する第１〜第４の映像再構成部４i（i＝1,2,3,4）と、第２の映像再構成部４2で再構成された映像の表示サイズを変更（縮小）する第１の表示サイズ変更部５と、第２の映像再構成部４2で再構成された映像を第１の表示サイズ変更部５に入力する経路と第１の表示サイズ変更部５を迂回する経路を択一的に切り換える第１の経路切換部６と、第１〜第４の映像再構成部４iで再構成された映像の表示サイズを変更（縮小）する第２の表示サイズ変更部７と、第１〜第４の映像再構成部４iで再構成された映像を第２の表示サイズ変更部７に入力する経路と第２の表示サイズ変更部７を迂回する経路を択一的に切り換える第２の経路切換部８と、第１又は第２の表示サイズ変更部５，７で表示サイズが変更された映像を第１〜第４の映像再構成部４iと一対一に対応する表示位置に配置した合成映像を作成する映像合成部９と、映像合成部９で合成された映像の１フレーム毎のデータを表示用の信号に変換して出力する映像出力回路１０と、液晶ディスプレイなどの表示デバイスを有し映像出力回路１０から出力される信号により表示デバイスを駆動して映像を表示する表示部１１と、送信元識別部３、第１〜第４の映像再構成部４i、第１及び第２の経路切換部６，８、映像合成部９、表示部１１を制御する第１の制御部１２とを備えている。
【００２８】
送信元識別部３は、復調回路２で復調された映像データの識別符号から当該映像データの送信元の送信装置Ｔを識別した後、第１の制御部１２から与えられる指示に従って各識別符号毎に出力先の映像再構成部４iを切り換えている。ここで、第１の映像再構成部４1に出力する経路を第１チャンネルｃＨ１、第２の映像再構成部４2に出力する経路を第２チャンネルｃＨ２、第３の映像再構成部４3に出力する経路を第３チャンネルｃＨ３、第４の映像再構成部４4に出力する経路を第４チャンネルｃＨ４と呼ぶこととすると、例えば、第１の制御部１２から与えられる指示に従って、識別符号＝３の送信装置Ｔ（以下、「Ｔ３」と表記する。）が送信した映像データを第１チャンネルｃＨ１に出力し、識別符号＝１の送信装置Ｔ（以下、「Ｔ１」と表記する。）が送信した映像データを第４チャンネルｃＨ４に出力し、識別符号＝２の送信装置Ｔ（以下、「Ｔ２」と表記する。）が送信した映像データを第３チャンネルｃＨ３に出力し、識別符号＝４の送信装置Ｔ（以下、「Ｔ４」と表記する。）が送信した映像データを第２チャンネルｃＨ２に出力するのである。
【００２９】
第１〜第４の映像再構成部４iは全て同一の機能を有しており、上述のように各ライン毎の映像データを映像データライン番号の順番に垂直方向へつなげることで１フレームの映像を再構成する機能の他に、第１の制御部１２から与えられる指示に従って再構成した映像の画質を調整する機能も有している。但し、以下では説明を簡単にするため、第１〜第４の映像再構成部４iで再構成された映像を、それぞれ第１〜第４チャンネルの映像と呼ぶこととする。ここで、第１〜第４の映像再構成部４iでは、１フレーム分の映像の再構成が完了したときに再構成完了通知を第１の制御部１２に対して出力しており、第１の制御部１２では、再構成完了通知によって第１〜第４チャンネルｃＨ１〜ｃＨ４の映像が表示可能になったと判断している。
【００３０】
第１の表示サイズ変更部５は、第１の制御部１２により第１の経路切換部６が切り換えられて第２の映像再構成部４2で再構成された映像が入力されているときに当該映像（第２チャンネルｃＨ２の映像）の表示サイズを縮小する処理を実行するものである。また、第２の表示サイズ変更部７は、第１の制御部１２により第２の経路切換部８が切り換えられて第１〜第４の映像再構成部４iで再構成された映像が入力されているときに当該映像（第１〜第４チャンネルｃＨ１〜ｃＨ４の映像）の表示サイズを縮小する処理を実行するものである。但し、表示サイズを縮小する処理については従来周知であるから説明を省略する。
【００３１】
映像合成部９は、第１〜第４チャンネルｃＨ１〜ｃＨ４の映像を保存するフレームメモリ９ａと、第１の制御部１２から与えられる指示に従ってフレームメモリ９ａに対する映像の書込及び読出を行うとともに、フレームメモリ９ａから読み出した第１〜第４チャンネルｃＨ１〜ｃＨ４の映像を第１〜第４の映像再構成部４iと一対一に対応する表示位置に配置した合成映像を作成する映像処理部９ｂとを具備しており、例えば、図６（ｂ）に示すように第２の表示サイズ変更部７によって標準サイズ（図６（ａ）に示すように１つのチャンネルｃＨ１の映像を画面一杯に表示する場合のサイズ）の４分の１のサイズに縮小された第１〜第４チャンネルｃＨ１〜ｃＨ４の映像をそれぞれ左上、右上、左下、右下の各表示位置に配置して縦横２列に並べた合成映像（以下、「４分割映像」と呼ぶ。）や、図６（ｃ）に示すように第２チャンネルｃＨ２の映像を第１の表示サイズ変更部５により縮小した映像（子映像）を標準サイズの第１チャンネルｃＨ１又は第３チャンネルｃＨ３又は第４チャンネルｃＨ４の映像（親映像）に重ね合わせた合成映像（以下、「親子映像」と呼ぶ。）を作成する。
【００３２】
次に、本実施形態における受信装置Ｒの動作を説明する。
【００３３】
例えば、識別符号＝３の送信装置Ｔ３から送信される映像を標準サイズで表示する場合、ヘッダ部の識別符号が３に設定されている映像信号（パケット）を第１チャンネルｃＨ１、つまり、第１の映像再構成部４1に出力するように第１の制御部１２から送信元識別部３に指示を与えるとともに、第１の制御部１２で第１並びに第２の経路切換部６，８を制御して第１及び第２の表示サイズ変更部５，７を何れも迂回させ、さらに、第１の制御部１２から映像合成部９に対して指示を与えて映像の合成処理を行わずに第１チャンネルｃＨ１の映像をそのまま映像出力回路１０に出力させる。すなわち、第１チャンネルｃＨ１（第１の映像再構成部４1）に出力する映像の識別符号を第１の制御部１２より送信元識別部３に指示することで、任意の送信装置Ｔｍ（ｍ＝１，２，…）から送信される映像を標準サイズで表示部１１の画面に表示させることができる。
【００３４】
また、ヘッダ部の識別符号が１〜４に設定されている映像信号（パケット）を第１〜第４チャンネルｃＨ１〜ｃＨ４、つまり、第１〜第４の映像再構成部４iに出力するように第１の制御部１２から送信元識別部３に指示を与えるとともに、第１の制御部１２で第１並びに第２の経路切換部６，８を制御して第１の表示サイズ変更部５を迂回させ且つ第２の表示サイズ変更部７に第１〜第４チャンネルｃＨ１〜ｃＨ４の映像を入力して表示サイズを縮小させ、さらに、第１の制御部１２から映像合成部９に対して４分割映像を作成する指示を与えれば、識別符号＝１〜４の送信装置Ｔ１〜Ｔ４から送信される映像をそれぞれ左上、右上、左下、右下の各表示位置に配置した４分割映像を表示することができる。但し、各送信装置Ｔ１〜Ｔ４から送信される映像の表示位置は、各映像と送信元識別部３から出力するチャンネルｃＨ１〜ｃＨ４との組合せを第１の制御部１２から指示することで容易に変更可能である。
【００３５】
あるいは、ヘッダ部の識別符号が１に設定されている映像信号を第１チャンネルｃＨ１に出力すると同時にヘッダ部の識別符号が３に設定されている映像信号を第２チャンネルｃＨ２に出力するように第１の制御部１２から送信元識別部３に指示を与えるとともに、第１の制御部１２で第１並びに第２の経路切換部６，８を制御して第１の表示サイズ変更部５に第２チャンネルｃＨ２の映像を入力して表示サイズを縮小させ且つ第２の表示サイズ変更部７を迂回させ、さらに、第１の制御部１２から映像合成部９に対して親子映像を作成する指示を与えれば、送信装置Ｔ１から送信される映像を親映像、送信装置Ｔ３から送信される映像を子映像とする親子映像を表示することができる。但し、親映像とする映像（送信装置Ｔ）並びに子映像とする映像（送信装置Ｔ）の選択は、第１及び第２チャンネルｃＨ１，ｃＨ２に出力する映像の識別符号を第１の制御部１２から指示することで容易に変更可能である。
【００３６】
このように本実施形態によれば、合成映像における表示位置と第１及び第２の表示サイズ変更部５，７とが一対一に対応しているため、受信した映像信号を再構成する映像再構成部４iに応じて合成映像における表示位置が一意に決まり、各映像信号の再構成を担当する映像再構成部４iを、第１の制御部１２により制御される送信元識別部３によって切り換えるだけで任意の合成映像（本実施形態では、４分割映像と親子映像）が容易に構成可能となる。
【００３７】
ところで、本実施形態のように映像信号を時分割多重伝送する映像伝送システムにおいて、通常、各送信装置Ｔが映像信号の送信を開始するタイミングは揃っていないから、第１〜４の映像再構成部４iで映像の再構成が完了するタイミングにもばらつきが生じ、例えば、第１の制御部１２から指示が与えられてから、実際に表示部１１の画面に４分割映像が表示されるまでにかなりの待ち時間が生じてしまうことが有る。
【００３８】
そこで本実施形態における受信装置Ｒでは、少なくとも何れか一つの映像再構成部４iから再構成完了通知が送信されたら、第１の制御部１２が映像合成部９に指示を与え、他の映像再構成部４iから再構成完了通知が送信されてくるまでの間、再構成待ちの映像の表示位置に単一色（例えば、黒色や青色など）で塗りつぶしたダミー映像を配置した合成映像を作成させており、再構成された映像が順次表示されることで表示部１１に映像が表示されるまでの待ち時間が短くなり、しかも、再構成待ちの映像の表示位置にダミー映像を配置することで合成映像を見やすく表示できるという利点がある。また、再構成途中の不完全な映像が表示部１１の画面に表示されることが無く、見やすい合成映像を表示することができ、従って、表示品質が向上するという利点もある。あるいは、特定の送信装置Ｔの故障や信号線Ｌｓの断線、映像信号の減衰、周期的な外来ノイズなどによって特定のチャンネルｃＨの映像信号が受信できなかった場合などに、正常に受信したチャンネルｃＨの映像は、再構成完了と共に（早く）表示でき、受信できないチャンネルｃＨの映像が表示される表示位置はダミー映像で表示できるため、表示品質を損なうことなしに伝送上の不具合を察知することができるなど、利便性が向上するという利点がある。
【００３９】
なお、第１の制御部１２に制御されて第１又は第２の経路切換部６，８が切り換えられる場合、すなわち、表示部１１に表示する映像が変更（例えば、４分割映像から親子映像に変更）される場合、第１〜４の映像再構成部４i並びに映像合成部９では、その時点で処理を中断して処理結果を破棄する初期化を行っており、表示部１１に表示する映像（合成映像）を変更したときに映像が乱れたり、途切れたりするのを防いでいる。
【００４０】
（実施形態２）
図７に本実施形態における受信装置Ｒのブロック図を示す。但し、本実施形態における受信装置Ｒの基本構成は実施形態１と共通であるから、共通の構成要素には同一の符号を付して説明を省略する。
【００４１】
本実施形態は、映像再構成部４i又は映像合成部９の少なくとも何れか一方より映像信号の受信エラーの発生状況を取得し、受信エラーが生じている映像を表示部１１に表示するか否かを切り換える第２の制御部１３を受信装置Ｒに備えた点に特徴がある。ここで、第１〜４の映像再構成部４iは、映像信号の識別符号やライン番号に受信エラーがあった場合に当該映像信号を破棄することで異なる映像の映像信号により誤った映像が再構成されるのを防ぐとともに正常に受信できた映像信号のみで映像を再構成している。よって、第１〜４の映像再構成部４iでは、抜けているライン番号の数から映像信号の受信エラーの発生状況を検出して第２の制御部１３に通知することができる。また、本実施形態では映像信号のヘッダ部とデータ部に各々別の誤り検査符号を用いているから（図４（ｂ）参照）、ヘッダ部とデータ部とでそれぞれ個別に受信エラーの発生状況を検出することが可能である。
【００４２】
第２の制御部１３は、映像再構成部４i又は映像合成部９から通知される受信エラーの発生状況に応じて受信エラーが生じている映像を表示部１１に表示するか否かを切り換える。従って、第２の制御部１３によって受信エラーが頻繁に発生するチャンネルｃＨを非表示とし、当該チャンネルｃＨの映像が表示される表示位置にダミー映像を表示させることで乱れのない映像が表示できる。
【００４３】
ここで、図８に示すようにゲート装置１０３の接続口に対して機能モジュール１０８のコネクタを接続するだけで機能モジュール１０８の電力路と、情報路とを同時に確保でき、しかも機能モジュール１０８をどのゲート装置１０３にも接続できるレイアウトフリーで施工性に優れた配線システムがある。かかる配線システムは、建物内の適所において埋め込み配設している１乃至複数のスイッチボックス１０２を設け、各スイッチボックス１０２間に壁面内に先行配線した電力線１１０と、情報線１１１とを送り配線するとともに、始端のスイッチボックス１０２に対しては、配線盤１０１内に引き込まれた主幹ブレーカＭＢと分岐ブレーカＢＢとを介して屋内に引き込まれた力線１１０と、外部のインターネット網ＮＴにゲートウェイ１２０（ルータ、ハブ内蔵）を介して接続されている情報線１１１とが、接続されている。そして、このような配線システムに本発明に係る映像伝送システムを組み込むことも可能である。
【図面の簡単な説明】
【００４４】
【図１】実施形態１における受信装置のブロック図である。
【図２】同上のシステム構成図である。
【図３】同上におけるタイムスロットの説明図である。
【図４】（ａ）は同上における同期信号の説明図、（ｂ）は同上における映像信号の説明図である。
【図５】同上における映像データの説明図である。
【図６】同上における合成映像の説明図である。
【図７】実施形態２における受信装置のブロック図である。
【図８】同上を組み込む配線システムのシステム構成図である。
【符号の説明】
【００４５】
Ｍ  主装置
Ｔ  送信装置
Ｒ  受信装置
１  受信回路
２  復調回路
３  送信元識別部
４1〜４4  第１〜４の映像再構成部
５  第１の表示サイズ変更部
６  第１の経路切換部
７  第２の表示サイズ変更部
８  第２の経路切換部
９  映像合成部
１０  映像出力回路
１１  表示部
１２  第１の制御部
【図１】
2007259133.tif 000003
【図２】
2007259133.tif 000004
【図３】
2007259133.tif 000005
【図４】
2007259133.tif 000006
【図５】
2007259133.tif 000007
【図６】
2007259133.tif 000008
【図７】
2007259133.tif 000009
【図８】
2007259133.tif 000010